(57)【要約】【課題】  最近の鉄筋コンクリート構造物における型枠工事では、イニシャルコストはかかるが鋼製型枠を用いての工事が多くなっている。しかし、梁形の突出するラーメン構造等にあっては、壁用と梁用を一体とする梁・壁用鋼製パネルとすると、梁が壁よりも突出するので硬化したコンクリートとの接合面に出隅、入隅ができ、コンクリートの養生硬化後にそのままの状態で脱型できなかった。【解決手段】  対峙する鋼製パネル１の一方を、壁用型枠４と梁側面用型枠５を繋げて一体に構成すると共に、壁上部用面板１０ａを付設した梁底用型枠６を壁用型枠４と梁側面用型枠５の間で昇降自在とするように手動のネジジャッキ７を複数介在させた梁・壁用鋼製パネルとしたもの。【選択図】        図２
2005048416.tif 000002
【特許請求の範囲】
【請求項１】
スラブは別途水平打ち継ぎをするようにした壁式ラーメン構造、ラーメン構造の梁・壁を一体とする鉄筋コンクリート壁を構築するに当たって対峙する鋼製パネルの一方を、壁用型枠と梁側面用型枠を繋げて一体に構成すると共に、壁上部用面板を付設した梁底用型枠を壁用型枠と梁側面用型枠の間で昇降自在としたことを特徴とする梁・壁用鋼製パネル。
【請求項２】
昇降させる手段として、壁用型枠と梁底用型枠に夫々固定する逆向きのネジ棒と、これらのネジ棒を両端部より螺合し、胴部に回転工具用穴を穿った操作筒とからなる手動のネジジャッキを複数介在させるようにしたことを特徴とする請求項１記載の梁・壁用鋼製パネル。
【請求項３】
壁上部用型枠の面板表面と壁用型枠の面板の裏面をスライドさせるように構成したことを特徴とする請求項１又は請求項２記載の梁・壁用鋼製パネル。
【請求項４】
柱・壁及び梁の鉄筋を配筋し、先に請求項１記載の梁・壁用鋼製パネルを内パネルとし、次に鋼製パネルを外パネルとし、外パネルと内パネルはセパレータにて間隔を保って対峙するように建て込み、梁底用型枠を上昇させて梁側面用型枠と接合させ、控えサポートにて支えてからコンクリートを打設し、コンクリートの養生硬化後に、梁底用型枠を降下させ、内パネルを持ち上げるか或いは傾けて脱型できるようにしたことを特徴とする梁・壁の施工方法。
【発明の詳細な説明】
【技術分野】
【０００１】
この発明は、鉄筋コンクリート構造に係るオフィスビルやマンションなどで各階毎に外壁や内壁を施工する型枠工事において、梁・壁部分を一体とした鋼製パネルを用い、この鋼製パネルの梁底部分を昇降できるように構成することで、梁・壁用鋼製パネルの組立脱型を容易にするものである。
同様な型枠工事に関するものであれば、土木工事にも適用可能といえる。
【背景技術】
【０００２】
従来、型枠工事では合板製型枠を用いて、専門技術者ないし熟練工としての型枠大工が施工し、使用した合板製型枠は数回は繰り返し使うものの、基本的には数回の転用後は解体廃棄していた。
最近の鉄筋コンクリート構造物における型枠工事では、イニシャルコストはかかるが鋼製型枠を用いての工事が多くなっている。これは、型枠を数百回繰り返し使用可能となり、しかも熟練工以外でも型枠工事を施工できるので、全体として効率的かつ経済的な型枠工事となり得るからである。
しかし、梁形の突出するラーメン構造等にあっては、壁用と梁用を一体とする梁・壁用鋼製パネルとすると、梁が壁よりも突出するので硬化したコンクリートとの接合面に出隅、入隅ができ、打設したコンクリートの養生硬化後にそのままの状態で脱型しようとしても、水平にスライドさせることも、傾けることもできなくなってしまう。
【０００３】
そこで、梁形の突出しないコンクリート壁の箇所には鋼製パネルを用いるものの、梁の箇所には、特許文献１、特許文献２に示すように、梁の側面及び下端面を受けるパネルを夫々合板等で別途製作し組立てるか、または、壁と梁を水平に分割してコンクリート打設することで対応していた。
また、特許文献３には、鉄筋コンクリート構造物の内側となる鋼製パネルを上下方向に伸縮自在とすることで撤去し易くするようにした建築工法が提案されている。さらに、特許文献４には、特許文献３と同じく、鋼製パネルを上下方向に伸縮自在とし、加えて、壁を形成するための垂直パネルとスラブを形成するための水平パネルで逆Ｌ型とし、垂直パネル上端部及び水平パネルを旋回して下降可能とした建築工法が提案されている。
【０００４】
【特許文献１】実公平７−８７２４号公報（図３）
【特許文献２】特開平８−３３３８９３号公報（第１頁）
【特許文献３】特開平１０−２３８１１２号公報（図７、図１６）
【特許文献４】特開平１１−１８２０３３号公報（図１２、図１６）
【発明の開示】
【発明が解決しようとする課題】
【０００５】
梁部分を木製の在来型枠パネルで構成したり、壁と梁を水平分割して型枠を組み、コンクリートを打設することは、鋼製パネルの特徴である工事の都度の組替え不要な点が損なわれたり、一体脱型が不可能となり、予め組み立てた状態の大型パネルのままシステマティックに転用していけるという利点が失われることになる。
また、特許文献３、４に提案されている鋼製パネルの施工構造では、内側のパネルについてのみ伸縮自在としており、スラブも一緒に打設するので、ベランダやバルコニーを備えるマンションのような鉄筋コンクリート構造物の場合には外側のパネルはコンクリート硬化後に外れなくなってしまうので施工できないものであった。そこで、ベランダ側などの壁及び手摺用壁は、後打ちコンクリート又はコンクリートブロック積み或いはＡＬＣ版・ＰＣ版で構成せざるを得ないことになっていた。乾式壁での構築は性能的に懸念されがちであり、後打ちコンクリートは作業が困難になりコストが掛かることになっていた。
加えて、特許文献３、４では梁底の支保工が一体となっているので、採暖養生により強度を確保しなければ型枠を解体・移動することができなかった。
【課題を解決するための手段】
【０００６】
そこでこの発明では、鉄筋コンクリート構造物を構築するにあたって、床スラブは別途水平打ち継ぎをするようにした壁式ラーメン構造、ラーメン構造において、梁・壁を一体に構築し、小ばらしすることなく殆どそのままの状態で脱型して移動組立てする為に、転用可能な梁・壁用鋼製パネルを提供しようとして鋭意研究した結果開発したものである。
本発明に係る梁・壁用鋼製パネルは、スラブは別途水平打ち継ぎをするようにした壁式ラーメン構造、ラーメン構造の梁・壁を一体とする鉄筋コンクリート壁を構築するに当たって対峙するコンクリート型枠の一方に採用するもので、壁用型枠と梁側面用型枠を繋げて一体に構成すると共に、壁上部用面板を付設した梁底用型枠を壁用型枠と梁側面用型枠の間で昇降自在としたことを特徴とするものである。
このような構造を採用することで、梁・壁用コンクリート型枠を、コンクリート梁により形成される出隅、入隅を避けて一体として持ち上げ乃至傾斜させ梁・壁用コンクリート型枠を引き出すことができるようになったのである。
【０００７】
また、本発明では、昇降手段として、壁用型枠と梁底用型枠に夫々固定する逆向きのネジ棒と、これらのネジ棒を両端部より螺合し、胴部に回転工具用穴を穿った操作筒とからなる手動のネジジャッキを複数介在させるようにしたものである。
加えて、本発明では、壁上部用型枠の面板表面と壁用型枠の面板の裏面をスライドさせるように構成することが望ましい。
【０００８】
さらに本発明に係る梁・壁の施工方法は、柱・壁及び梁の鉄筋を配筋し、先に前記の梁・壁用鋼製パネルを内パネルとし、次に鋼製パネルを外パネルとし、外パネルと内パネルはセパレータにて間隔を保って対峙するように建て込み、梁底用型枠を上昇させて梁側面用型枠と接合させ、控えサポートにて支えてからコンクリートを打設し、コンクリートの養生硬化後に、梁底用型枠を降下させ、内パネルを持ち上げるか或いは傾けて脱型できるようにしたことを特徴とするものである。
【発明の効果】
【０００９】
この発明は以上のような構成からなり、一体とした梁・壁用鋼製パネルの梁底用型枠のみを昇降自在とすることで、硬化したコンクリートから傾斜させ乃至水平に引き出して脱型解放し、組立時と同じ状態で脱型、移動、転用出来るため、鋼製パネルの本来の目的である、合板製型枠を使用せず早く簡単かつ合理的に型枠熟練工でなくとも施工ができ、中高層建築物の大半を占めているラーメン構造等にも対応が可能となる。
【００１０】
すなわち、コンクリート梁の底に位置することになる梁底用型枠をコンクリートから解放させることにより、コンクリート梁下端と梁・壁用鋼製パネルとの間隙が生じるので、この開き空間を利用して、梁・壁用鋼製パネルを傾斜させ、又は梁下端の開き空間分を引き上げ梁・壁用鋼製パネルを床面から上部に浮かせて水平に引き出しが可能となり、部分的に脱型、解体することなく一体としたままで、硬化したコンクリート梁を避けて脱型及び移動ができるのである。
【００１１】
昇降させる箇所が、梁底用型枠のみであるので、降下時にジャッキ部分に掛かる負担が小さく、ジャッキを回転させるためのモーメントは小さくてすむので手動のネジジャッキを採用することができるのである。
加えて、複数のネジジャッキを用いて梁底用型枠のみを昇降させるので梁・壁用鋼製パネルを設置する床コンクリートに不陸があってもコンクリート梁の底の水平調製が可能となるのである。
【００１２】
また、梁・壁用鋼製パネルを用いる場合に、開口部分がある場合は、その開口枠内に支保工を残すことができるので、コンクリート設計基準強度の１００％以上の圧縮強度が得られるのを待つことなく梁底用型枠を降下させ、梁・壁用鋼製パネル等を解体して移動することができることになる。
【発明を実施するための最良の形態】
【００１３】
以下、図面に示す発明の実施の形態に即して説明する。
この発明で用いる鋼製パネル１は、高さは２７００ｍｍ、幅は２４００ｍｍ、１８００ｍｍ、１２００ｍｍなどから最小３００ｍｍまでのものを用意し、幅員の同じパネル又は違うパネルを設計スパンに合わせて連結金具により繋げるようにして大型のものとする。
鋼製パネル１は、全て基本的には金属製方形の面板１０の裏面に金属製角パイプからなる縦リブ１１、横リブ１２、中リブ１３、補助リブ１４を溶接などで繋げてなるもので、縦リブ１１、中リブ１３より面板１０を通すセパレータ１５ｂのタイロッド１５ａを貫通させるタイホール１５を備えている。
これらの鋼製パネル１を複数横方向に連結して外パネル、内パネルとして壁用及び梁用の鉄筋を囲繞するように対峙させ、コンクリートを打設して建築躯体のコンクリート外壁や界壁を構成することになる。
鉄筋コンクリートにより梁・壁を一体に構築するために、対峙するように配置される外パネルとなる鋼製パネル２及び内パネルとなる梁・壁用鋼製パネル３は、タイホール１５間のセパレータ１５ｂにタイロッド１５ａを通し、壁厚及び梁厚に合致するように対峙して建て込まれる。
【００１４】
スラブは別途水平打ち継ぎをするようにした壁式ラーメン構造、ラーメン構造とするので、対峙させる鋼製パネル２及び梁・壁用鋼製パネル３は上階のスラブ下端までの高さよりも若干高く形成するものとする。
鋼製パネル２は、詳細な図示はしないが金属製方形の面板１０の裏面に縦リブ１１、横リブ１２、中リブ１３及び補助リブ１４を設けるようにしてある。
梁・壁用鋼製パネル３は、壁用型枠４と梁側面用型枠５及び昇降自在な壁上部用面板１０ａを付設した梁底用型枠６とからなり一体に構成してなる。
壁用型枠４は、コンクリート壁面より若干低く構成した面板１０の背面に縦リブ１１、横リブ１２、中リブ１３及び補助リブ１４を溶接などで繋げるようにしてある。ここで上部の横リブ１２は面板１０の上端縁より下に配置してある。
梁側面用型枠５は、壁から突出する梁の厚み分だけ壁用型枠４と離れて配置されるもので、梁側面より長い面板１０の背面に縦リブ１１、横リブ１２及び中リブ１３を固定するのであるが、縦リブ１１、１１及び中リブ１３を延長し、これらの下端に横リブ１２を渡すようにしてある。
壁用型枠４と梁側面用型枠５は、互いに向き合うことになる、下端に位置する横リブ１２、１２、縦リブ１１、１１や中リブ１３、１３及び補助リブ１４、１４間で、短い角パイプからなる連結パイプ１６によって繋いで一体としてある。
【００１５】
梁底用型枠６は、コンクリート梁の底部用から、コンクリート梁に続く壁上部用の面板１０ａを屈曲連設してＬ型とした面板１０の背面に、縦横に角パイプからなるリブ１７を溶接などで固定したものであり、昇降することで、その壁上部用の面板１０ａの表面が、壁用型枠４の面板１０の上部の裏面をスライドすることになり、梁底用型枠６の長手方向一端部が梁側面用型枠５の面板１０の下端に接離自在となるものである。
【００１６】
梁底用型枠６を昇降させる手段として、図示の例は手動のネジジャッキ７を複数用いている
このネジジャッキ７は、壁用型枠４の水平な補助リブ１４と、梁底用型枠６のリブ１７に座板７１ａを介して溶接固定する逆向きのネジ棒７１、７１と、これらのネジ棒７１、７１を両端部より挿入して螺合し、胴部に回転工具用穴７２を穿った操作筒７３とからなる。操作筒７３の両端部にはねじ筒７４を固定して螺合できるようにし、梁底用型枠６に固定するねじ棒７１は壁用型枠４の横リブ１２を貫通させ、梁底用型枠６と壁用型枠４は一体となっている。
【００１７】
また、梁側面用型枠５の横リブ１２と梁底用型枠６のリブ１７には先端部に丸穴を穿った舌片１２ａ、１７ａを、上昇したときに丸穴が合致するよう配置し、別途ロープを梁側面用型枠５のリブに巻き付けるひもを備えた固定ピンＰを差し込むことにより梁底用型枠６をコンクリート荷重に耐えるべく強固に固定するようにしている。
梁底用型枠６はこのように昇降自在であるが、組み立て当初は最下部位置とし、ネジジャッキ７を正回転させて最上部の所定位置に上昇させることで梁側面用型枠５の面板１０に接触させ塞いでセットする。その後コンクリートを打設することになる。脱型時はネジジャッキ７を逆回転させて梁底用型枠５を下降させて硬化したコンクリートから解放させるようにする。
昇降させる手段として上記のネジジャッキ７に限定されることなく、その他の手段を採用することもできる。
【００１８】
ここで、本発明に係る梁・壁の施工方法について簡単に説明する。
床スラブ上に柱、壁及び梁の図示しない鉄筋を配筋し、鋼製パネル２を外パネルとし、梁・壁用鋼製パネル３を内パネルとし、先に内パネルを、次に外パネルを対峙させ、内パネルと外パネルの対応するタイホール１５にセパレータ１５ａを渡してタイロッド１５ｂを通し間隔を保って建て込む。
そして、梁・壁用鋼製パネル３の梁底用型枠６をネジジャッキ７の操作筒７３に回転工具を挿入して回すことで梁底用型枠６を梁側面用型枠５と接合させる。梁底用型枠６から突設した舌片１７ａと梁側面用型枠５から突設した舌片１２ａが摺り合わされるので丸穴に固定ピンＰを差し込み、控えサポート８にて支えてからコンクリートを打設するのである。
コンクリートの養生硬化後に、梁底用型枠６を降下させ、内パネルとなる梁・壁用鋼製パネル３を持ち上げるか傾けて脱型させクレーンなどで吊り上げて外すのである。
図１に示す符号Ｂは足場用ブラケットで上記パネル２、３に所定間隔で取り付け足場板Ｓを渡してパネル２、３の上端に臨んでコンクリート打設作業ができるようにしてある。
【００１９】
図７は、建築躯体に必須な窓や扉などの開口部を構成する場合の断面図であり、外パネルとしての鋼製パネル２と、この発明に係る梁・壁用大形鋼製パネル３の間に開口枠９を配置し、この開口枠９と梁・壁用鋼製パネル３の面板１０をボルトナットなどの締結具Ｊにて繋ぎ、支保工８ａとしてのパイプにて支えるようにしてある。
【図面の簡単な説明】
【００２０】
【図１】この発明に係る梁・壁用鋼製パネルの使用状態の側面図である。
【図２】この発明に係る梁・壁用鋼製パネルの要部断面図である。
【図３】梁・壁用鋼製パネルの上部の概略側面図である。
【図４】梁・壁用鋼製パネルの梁側面用型枠の背面図である。
【図５】梁・壁用鋼製パネルの壁用型枠及び梁底用型枠の背面図である。
【図６】外パネルとして鋼製パネルを、内パネルとして梁・壁用鋼製パネルを用いて鉄筋コンクリート構造物を構成する場合の平面図である。
【図７】窓、扉などの開口部を構成する場合の梁・壁用鋼製パネルの使用状態の断面図である。
【符号の説明】
【００２１】
１  鋼製パネル
１０  面板
１１  縦リブ
１２  横リブ
１３  中リブ
１４  補助リブ
１５  タイホール
１６  連結パイプ
２  鋼製パネル
３  梁・壁用鋼製パネル
４  壁用型枠
５  梁側面用型枠
６  梁底用型枠
７  ネジジャッキ
８  控えサポート
８ａ  支保工
【図１】
2005048416.tif 000003
【図２】
2005048416.tif 000004
【図３】
2005048416.tif 000005
【図４】
2005048416.tif 000006
【図５】
2005048416.tif 000007
【図６】
2005048416.tif 000008
【図７】
2005048416.tif 000009